(57)【要約】【課題】摩擦部材と該摩擦部材に摺動する部分との接触を面にすることにより、より安定した摩擦力を得ることができる鍵盤装置を提供する。【解決手段】鍵２は、演奏者の押鍵又は離鍵操作に応じて支点を中心に揺動する。鍵フレーム４は、鍵２の支点を揺動自在に支持する鍵支持部が設けられている。また、鍵２は、押鍵部２４と、この押鍵部２４の鍵並び方向の両側から垂下すると共に鍵２の長手方向に沿って延在された左右一対の側面部２５と、を有している。鍵フレーム４には、上記左右一対の側面部２５と対向するフレーム側対向部４８が設けられている。このフレーム側対向部４８は、鍵支持部の近傍に鍵支持部とは別個に設けられている。そして、摩擦部材１０が、フレーム側対向部４８に固定されていて、鍵２の揺動に伴って鍵２の側面部２５との当接摺動により、鍵２の操作時及び保持時に鍵２に対して摩擦力を発生する。【選択図】図２
2011017958.tif 000002
【特許請求の範囲】
【請求項１】
演奏者の押鍵又は離鍵操作に応じて支点を中心に揺動する鍵と、前記鍵の支点を揺動自在に支持する支点支持部が設けられた鍵フレームと、を備えた電子楽器の鍵盤装置において、
互いに対向すると共に前記鍵が揺動する際に互いの対向方向の距離が略一定に保持される前記鍵に形成された鍵側対向部、及び、前記鍵フレームに形成されたフレーム側対向部、と、
前記鍵側対向部と前記フレーム側対向部との間に配置されると共に前記鍵側対向部及び前記フレーム側対向部の何れか一方に固定されていて、前記鍵の揺動に伴って前記鍵側対向部及び前記フレーム側対向部の他方との当接摺動により、前記鍵の操作時及び保持時に前記鍵に対して摩擦力を発生する摩擦部材と、を備え、
前記フレーム側対向部が、前記支点支持部の近傍に前記支点支持部とは別個に設けられている
ことを特徴とする電子楽器の鍵盤装置。
【請求項２】
前記鍵側対向部が有する弾性力、前記フレーム側対向部が有する弾性力、及び、前記摩擦部材自体の弾性力のうち少なくとも１つの弾性力によって、前記摩擦部材が当接摺動する前記鍵側対向部及び前記フレーム側対向部の他方に付勢されている
ことを特徴とする請求項１に記載の電子楽器の鍵盤装置。
【請求項３】
前記鍵側対向部が、前記鍵の押鍵部から垂下されると共に前記鍵の長手方向に沿って延設された左右一対の面の少なくとも一方から構成されている
ことを特徴とする請求項１又は２に記載の電子楽器の鍵盤装置。
【請求項４】
前記鍵側対向部が、前記左右一対の面の両方から構成されていて、
前記鍵側対向部の左右一対の面、又は、前記鍵側対向部の左右一対の面にそれぞれ対向する一対のフレーム側対向部、に固定された摩擦部材が互いに連結されて一体に形成されている
ことを特徴とする請求項３に記載の電子楽器の鍵盤装置。
【請求項５】
前記フレーム側対向部及び前記鍵側対向部の少なくとも一方が、前記鍵の支点部を中心とした円弧を含む円筒面に形成されている
ことを特徴とする請求項１又は２に記載の電子楽器の鍵盤装置。
【請求項６】
演奏者の押鍵又は離鍵操作に応じて支点を中心に揺動する鍵と、前記鍵の支点を揺動自在に支持する支点支持部が設けられた鍵フレームと、を備えた電子楽器の鍵盤装置において、
前記支点と前記支点支持部とが、曲面同士で接触するように設けられ、
前記鍵の支点及び前記鍵フレームの何れか一方の曲面に固定されていて、前記鍵の揺動に伴って前記鍵の支点及び前記鍵フレームの他方の曲面との当接摺動により、鍵操作時及び鍵保持時に前記鍵に対して摩擦力を発生する摩擦部材と、
を備えていることを特徴とする電子楽器の鍵盤装置。
【請求項７】
前記鍵フレームに設けられた、押鍵又は離鍵操作時の前記鍵の左右方向の動きを規制する鍵ガイド部を備え、
前記鍵支点と前記支点支持部との接触部において鍵並び方向の中央から前記鍵並び方向に沿って離れるに従って前記鍵支点と前記支点支持部とのクリアランスが大きくなるように設けられている
ことを特徴とする請求項６に記載の電子楽器の鍵盤装置。
【請求項８】
前記摩擦部材が、複数鍵域に亘って一体に形成されている
ことを特徴とする請求項１〜７何れか１項に記載の電子楽器の鍵盤装置。
【請求項９】
前記鍵及び前記鍵フレームは、樹脂の射出成形によって形成され、
前記摩擦部材内に前記鍵及び前記鍵フレームの何れか一方を構成する樹脂の一部が溶融して浸透し、その後固化して形成される融合層が設けられ、
前記融合層によって前記鍵及び前記鍵フレームの何れか一方に前記摩擦部材が固定保持されている
ことを特徴とする請求項１〜８何れか１項に記載の電子楽器の鍵盤装置。
【発明の詳細な説明】
【技術分野】
【０００１】
本発明は、電子楽器の鍵盤装置に関するものである。
【背景技術】
【０００２】
アコースティックピアノでは、鍵およびアクションの摺動部に幾つものフェルトが使われており、そこで発生する摩擦が鍵のタッチ感に影響を与えている。また、上記摩擦により、押鍵時と離鍵時とで鍵に発生する反力の違い（ヒステリシス）が生じるようになっている。特に、離鍵時は鍵を押す方向に摩擦力が発生するため、鍵を弱打した後にゆっくり戻したり、鍵を押した後に少し戻してストロークの中間領域で保持する際には、上記摩擦力分、鍵を押す力が軽くなるため、鍵のコントロール性に優れている。
【０００３】
これに対して、一般的に電子ピアノは、演奏者の押鍵又は離鍵操作に応じて支点を中心に揺動する鍵やハンマと、これら鍵やハンマの支点と摺接して鍵やハンマの支点を揺動自在に支持する支点支持部が設けられた鍵フレームと、から構成されていて、互いに摺接する鍵やハンマの支点と鍵フレームに設けた支点支持部とには通常グリスが塗布されている。グリスは、主に摺動の耐久性や、鍵や質量体と支点と鍵フレームに設けた支点支持部との衝突による機械的な雑音を防止する目的で使われている。しかしながら、グリスは摩擦を低減する効果があるため、アコースティックピアノのような鍵のコントロール性を低下させてしまう、という問題があった。
【０００４】
そこで、上記問題を解決するために例えば特許文献１に記載された鍵盤装置が提案されている。この特許文献１に記載された鍵盤装置は、鍵と連動して回動するハンマと、ハンマの回動軸（支点）を嵌合させる凹部が形成された軸受け部材と、軸受け部材が取り付けられる鍵盤シャーシ（鍵フレーム）と、回動軸と軸受け部材とのガタを調整するために鍵盤シャーシの回動軸と対向する部分に貼り付けたガタ調整テープと、を有している。そして、上記ガタ調整テープをアコースティックピアノの鍵タッチに似た鍵タッチが得られる摩擦係数を有するフェルトなどの材料で構成している。
【０００５】
しかしながら、従来の特許文献１に記載された鍵盤装置は、上記ガタ調整テープは平面上の鍵盤シャーシに貼り付けられている。このため、ガタ調整テープとハンマの回転軸との接触が線接触となり、得られる摩擦力が安定しない、という問題があった。しかも、ハンマの回転軸と摺動するようにガタ調整テープを設ける必要があるため、鍵盤シャーシと別体に軸受け部材を設けている。このように、ハンマの回転軸と摺動するようにガタ調整テープを設けると、ハンマの回転軸周辺の構造が複雑になったり、ハンマの回転軸周辺の構造が限定されてしまう。また、特許文献１に記載された鍵盤装置では、常に回転軸をガタ調整テープに押し付けるような付勢力が与えられているわけではないので、摩擦力がさらに安定し難い、という問題もあった。
【０００６】
また、特許文献１に記載された鍵盤装置では、ガタ調整テープは粘着テープによる貼り付けなので、貼り付け面が平面の場合はまだよいが、曲面や複数の平面に跨って貼り付ける必要がある場合は、作業性も悪く、また、安定した粘着力を得ることが困難である、という問題があった。
【先行技術文献】
【特許文献】
【０００７】
【特許文献１】実用新案登録第２５６６６６６号
【発明の概要】
【発明が解決しようとする課題】
【０００８】
そこで、本発明は、上記のような問題点に着目し、摩擦部材と該摩擦部材に摺動する部分との接触を面にすることにより、より安定した摩擦力を得ることができる鍵盤装置を提供することを課題とする。
【課題を解決するための手段】
【０００９】
上記課題を解決するためになされた請求項１記載の発明は、演奏者の押鍵又は離鍵操作に応じて支点を中心に揺動する鍵と、前記鍵の支点を揺動自在に支持する支点支持部が設けられた鍵フレームと、を備えた電子楽器の鍵盤装置において、互いに対向すると共に前記鍵が揺動する際に互いの対向方向の距離が略一定に保持される前記鍵に形成された鍵側対向部、及び、前記鍵フレームに形成されたフレーム側対向部、と、前記鍵側対向部と前記フレーム側対向部との間に配置されると共に前記鍵側対向部及び前記フレーム側対向部の何れか一方に固定されていて、前記鍵の揺動に伴って前記鍵側対向部及び前記フレーム側対向部の他方との当接摺動により、前記鍵の操作時及び保持時に前記鍵に対して摩擦力を発生する摩擦部材と、を備え、前記フレーム側対向部が、前記支点支持部の近傍に前記支点支持部とは別個に設けられていることを特徴とする電子楽器の鍵盤装置に存する。
【００１０】
請求項２記載の発明は、前記鍵側対向部が有する弾性力、前記フレーム側対向部が有する弾性力、及び、前記摩擦部材自体の弾性力のうち少なくとも１つの弾性力によって、前記摩擦部材が当接摺動する前記鍵側対向部及び前記フレーム側対向部の他方に付勢されていることを特徴とする請求項１に記載の電子楽器の鍵盤装置に存する。
【００１１】
請求項３記載の発明は、前記鍵側対向部が、前記鍵の押鍵部から垂下されると共に前記鍵の長手方向に沿って延設された左右一対の面の少なくとも一方から構成されていることを特徴とする請求項１又は２に記載の電子楽器の鍵盤装置に存する。
【００１２】
請求項４記載の発明は、前記鍵側対向部が、前記左右一対の面の両方から構成されていて、前記鍵側対向部の左右一対の面、又は、前記鍵側対向部の左右一対の面にそれぞれ対向する一対のフレーム側対向部、に固定された摩擦部材が互いに連結されて一体に形成されていることを特徴とする請求項３に記載の電子楽器の鍵盤装置に存する。
【００１３】
請求項５記載の発明は、前記フレーム側対向部及び前記鍵側対向部の少なくとも一方が、前記鍵の支点部を中心とした円弧を含む円筒面に形成されていることを特徴とする請求項１又は２に記載の電子楽器の鍵盤装置に存する。
【００１４】
請求項６記載の発明は、前記演奏者の押鍵又は離鍵操作に応じて支点を中心に揺動する鍵と、前記鍵の支点を揺動自在に支持する支点支持部が設けられた鍵フレームと、を備えた電子楽器の鍵盤装置において、前記支点と前記支点支持部とが、曲面同士で接触するように設けられ、前記鍵の支点及び前記鍵フレームの何れか一方の曲面に固定されていて、前記鍵の揺動に伴って前記鍵の支点及び前記鍵フレームの他方の曲面との当接摺動により、鍵操作時及び鍵保持時に前記鍵に対して摩擦力を発生する摩擦部材と、を備えていることを特徴とする電子楽器の鍵盤装置に存する。
【００１５】
請求項７記載の発明は、前記鍵フレームに設けられた、押鍵又は離鍵操作時の前記鍵の左右方向の動きを規制する鍵ガイド部を備え、前記鍵支点と前記支点支持部との接触部において鍵並び方向の中央から前記鍵並び方向に沿って離れるに従って前記鍵支点と前記支点支持部とのクリアランスが大きくなるように設けられていることを特徴とする請求項６に記載の電子楽器の鍵盤装置に存する。
【００１６】
請求項８記載の発明は、前記摩擦部材が、複数鍵域に亘って一体に形成されていることを特徴とする請求項１〜７何れか１項に記載の電子楽器の鍵盤装置に存する。
【００１７】
請求項９記載の発明は、前記鍵及び前記鍵フレームは、樹脂の射出成形によって形成され、前記摩擦部材内に前記鍵及び前記鍵フレームの何れか一方を構成する樹脂の一部が溶融して浸透し、その後固化して形成される融合層が設けられ、前記融合層によって前記鍵及び前記鍵フレームの何れか一方に前記摩擦部材が固定保持されていることを特徴とする請求項１〜８何れか１項に記載の電子楽器の鍵盤装置に存する。
【発明の効果】
【００１８】
以上説明したように請求項１及び３記載の発明によれば、摩擦部材を設けることにより、鍵操作時に適度な摩擦力が働いて、特に弱打時や鍵をストローク領域の中間で保持する場合のコントロール性が向上する。また、フレーム側対向部が支点支持部とは別個に設けられているので、摩擦部材との当接摺動部を面にすることができ、より安定した摩擦力を得ることができる。しかも、鍵に対して直接的に摩擦力が発生する。
【００１９】
請求項２記載の発明によれば、鍵並び方向の限られたスペースの中で、弾性力によって安定した摩擦力を発生させることができる。
【００２０】
請求項４記載の発明によれば、左右一対の面又は一対のフレーム側対向部にそれぞれ固定される摩擦部材が一体に形成されているので、部品点数削減を図ると共に組立性の向上を図ることができる。
【００２１】
請求項５記載の発明によれば、全鍵分の摩擦部材を一体に設けることができるため、摩擦部材の固定が容易となる。
【００２２】
請求項６記載の発明によれば、曲面同士の当接により、線接触より接触面積が広くなり、より安定した摩擦力を得ることができる。
【００２３】
請求項７記載の発明によれば、支点部と鍵ガイド部の双方の影響で鍵がこじれてスムーズな動作ができなくなったり、機械的な雑音が発生したりすることを防止する。
【００２４】
請求項８記載の発明によれば、部品点数削減を図ると共に作業性向上を図ることができる。
【００２５】
請求項９記載の発明によれば、接着、粘着などの不安定要素を含む作業工程がなくなり品質が向上する。
【図面の簡単な説明】
【００２６】
【図１】第１実施形態における本発明の電子楽器の鍵盤装置を示す側面図である。
【図２】図１のＡ−Ａ線断面図である。
【図３】（Ａ）及び（Ｂ）は他の実施形態における図１のＡ−Ａ線断面図である。
【図４】第２実施形態における本発明の電子楽器の鍵盤装置を示す部分側面図である。
【図５】図４のＢ−Ｂ線断面図である。
【図６】（Ａ）及び（Ｂ）はそれぞれ他の実施形態における図４のＢ−Ｂ線断面図である。
【図７】他の実施形態における図４のＢ−Ｂ線断面図である。
【図８】第３実施形態における本発明の電子楽器の鍵盤装置を示す部分側面図である。
【図９】（Ａ）は、図８に示すフレーム側対向部、摩擦部材の拡大側面図であり、（Ｂ）は同図（Ａ）の上面図である。
【図１０】図８に示す鍵フレームの成形手順を示す図である。
【図１１】図１０のＣ−Ｃ線断面図である。
【図１２】他の実施形態における本発明の電子楽器の鍵盤装置を示す部分側面図である。
【図１３】第４実施形態における本発明の電子楽器の鍵盤装置を示す部分分解側面図である。
【図１４】図１３に示す鍵を鍵フレームに取り付けた状態を示す部分側面図である。
【図１５】他の実施形態における本発明の電子楽器の鍵盤装置を示す部分側面図である。
【図１６】図１５の部分拡大図である。
【図１７】（Ａ）は図１６に示す鍵の後端側の上面図であり、（Ｂ）は図１６に示す鍵の背面図である。
【図１８】他の実施形態における本発明の電子楽器の鍵盤装置を示す部分側面図である。
【発明を実施するための形態】
【００２７】
第１実施形態
以下、本発明の電子楽器の鍵盤装置１（以下単に鍵盤装置１と略記する）を図面に基づいて説明する。以下説明において、鍵盤装置１の「上下左右前後」は演奏時の演奏者側から見た正立状態における「上下左右前後」を意味する。まず、一般的な鍵盤装置１の構成について説明する。図１に示すように、鍵盤装置１は、鍵２、ハンマ３、鍵フレーム４、基板５、検出部６、ハンマストッパ８、９などを備えている。
【００２８】
上記鍵２は、白鍵２１及び黒鍵２２から構成されていて左右方向に複数並設されている。鍵２は、その後側端面に凸状の支点２３が形成されている。この支点２３は、鍵並び方向に沿って延設されていて、上下方向に沿った曲面に設けられている。上記鍵２は、この支点２３を中心に揺動自在に後述する鍵フレーム４の鍵支持部４５（支点支持部）に支持されている。詳しく説明すると、上記鍵支持部４５は、前側に開口を有する凹部４５ａが形成されている。この凹部４５ａは、鍵並び方向に沿って延設されていて、支点２３と同じ上下方向に沿った曲面に設けられている。この凹部４５ａに上記鍵２の支点２３が嵌め込まれる。さらに、板バネ７によって鍵２の支点２３が鍵支持部４５の凹部４５ａに向けて付勢される。これにより、鍵２の支点２３が鍵フレーム４に設けた鍵支持部４５に揺動自在に支持される。
【００２９】
また、上記白鍵２１及び黒鍵２２はそれぞれ、合成樹脂により形成されている。白鍵２１及び黒鍵２２は、図２に示すように、上面が押鍵面となる押鍵部２４と、この押鍵部２４の鍵並び方向の両端部から垂下すると共に鍵２の長手方向に沿って延在された左右一対の側面部２５と、を有していて、下方を開放させた断面コ字の凹部が設けられている。また、図１に示すように、白鍵２１の下方には後述するハンマ３を駆動するための緩衝部材２６１を含むハンマ駆動部２６が、白鍵２１の下方に垂設された垂下部２７の下端に設けられる。黒鍵２２も同様である。
【００３０】
上記ハンマ３は、鍵２の下部に配置されている。ハンマ３は、前後方向に延在するアーム状に設けられていて、後述する鍵フレーム４のハンマ支持部４６に回転軸Ｃ１を中心に回動可能に支持されている。ハンマ３は、前方に設けられた前方延在部３１と、後方に設けられたハンマ３の全体の質量のうちほとんどが集中している質量部３２と、前方延在部３１と質量部３２とを連結するアーム部３３と、を有している。上記前方延在部３１には、回転軸Ｃ１が設けられている。回転軸Ｃ１は、鍵並び方向に突出するように設けられていて、ハンマ支持部４６に設けた嵌合孔４６ａに嵌め込まれている。
【００３１】
また、前方延在部３１の前端には、上下に二股に分かれた連結部３１１が形成されている。連結部３１１を構成する上側連結片３１１ａ及び下側連結片３１１ｂは、対応する白鍵２１、黒鍵２２のハンマ駆動部２６と常に連結（係合）状態に有り、ハンマ３が対応する鍵２に連動して往方向及び復方向の双方に回動するようになっている。ハンマ駆動部２６は上側連結片３１１ａおよび下側連結片３１１ｂとに摺動自在に挟まれた構成で鍵２と係合しているので、ハンマ３は鍵２に対してがたつき無く押離鍵双方向に円滑に連動する。
【００３２】
これにより、演奏者が鍵２を押鍵すると垂下部２７がハンマ３の前方延在部３１を押し下げ、ハンマ３が回転軸Ｃ１を中心として図１において反時計回りに回動して、ハンマ３と後述する鍵フレーム４に設けたハンマストッパ８とが当接すると押し切り状態となる。そして、演奏者が押鍵操作を止めると、ハンマ３が回転軸Ｃ１を中心として図１において時計回りに回動して、ハンマ３とハンマストッパ９とが当接すると初期位置となる。
【００３３】
次に、上記鍵フレーム４について説明する。上記鍵フレーム４は、複数のリブ４１、第１連結部４２、第２連結部４３、鍵ガイド部４４、鍵支持部４５、ハンマ支持部４６、凸部４７などを合成樹脂により一体に備えている。上記複数のリブ４１は、互いに平行に鍵並び方向に沿って複数鍵域ごとに並べて設けられている。各リブ４１には、図示しない下ケースの底板上に接触する２つの足部４１ａ、４１ｂが前後に設けられている。
【００３４】
上記第１連結部４２は、図１に示すように、上記複数のリブ４１の前側に左右方向に亘って延在されて設けられ、複数のリブ４１の前側を互いに連結している。第１連結部４２は、鍵２の前端下側に設けられた水平部４２ａと、足部４１ａの下端に沿って設けられた水平部４２ｂと、水平部４２ａの後端と水平部４２ｂの前端とを連結する立壁部４２ｃと、水平部４２ｂの後端から立設する立壁部４２ｄと、から構成されている。
【００３５】
上記第２連結部４３は、図１に示すように、第１連結部４２よりも後側に左右方向に亘って延在されて設けられ、複数のリブ４１の第１連結部４２よりも後側を互いに連結している。第２連結部４３は、複数のリブ４１の上端部を覆う水平部４３ａと、足部４１ｂの下端に沿って設けられた水平部４３ｂと、水平部４３ａの後端と水平部４３ｂの前端とを連結する立壁部４３ｃと、水平部４３ｂの後端から立設する立壁部４３ｄと、から構成されている。
【００３６】
上記鍵ガイド部４４は、１つの鍵２毎に１つずつ設けられている。上記鍵ガイド部４４は、上記第１連結部４２の水平部４２ａ及び第２連結部４３の水平部４３ａの上面にそれぞれ突設されていて、上記水平部４２ａや水平部４３ａによって鍵並び方向が連結されている。上記各鍵２の鍵ガイド部４４は、鍵２の断面コ字状の凹部に挿入されていて、鍵２と当接することにより鍵２の左右方向の移動を規制し揺動動作をガイドする。上記鍵支持部４５は、鍵並び方向に沿って延在し、第２連結部４３の水平部４３ａの上面にそれぞれ突設されている。上記鍵支持部４５は、上述したように鍵２の支点２３を揺動自在に支持する。
【００３７】
また、上記ハンマ支持部４６は、鍵２毎に設けられ、第２連結部４３の水平部４３ａの下面にそれぞれ突設されている。上記ハンマ支持部４６は、ハンマ３の回転軸Ｃ１を回動自在に支持する。凸部４７は、鍵２毎に設けられ、第２連結部４３の水平部４３ａの上面にそれぞれ突設されている。この凸部４７と鍵２の後端部との間に板バネ７が配置されていて、上述したように板バネ７によって鍵２の支点２３が鍵支持部４５に向かって付勢される。
【００３８】
また、上記基板５は、水平部４３ａの上面に取り付けられている。基板５には、各鍵２毎に設けられた検出部６が搭載されている。検出部６は、例えば一対のゴムスイッチなどから構成されていて、鍵２の押鍵速度などの動作を検出する。また、ハンマストッパ８は、水平部４３ａの下面に固定されている。ハンマストッパ９は、鍵フレーム４とは別体に形成されて鍵フレーム４に固定された保持部５０に固定されている。ハンマストッパ８、９は、フェルトなどから構成されていて、ハンマ３との当接時の衝撃を低減するようになっている。
【００３９】
本実施形態の鍵盤装置１は、さらにフレーム側対向部４８と、摩擦部材１０（図２参照）と、を備えている。上記フレーム側対向部４８は、鍵２毎に設けられていて、鍵フレーム４に一体に形成されている。また、各フレーム側対向部４８は、鍵支持部４５の近傍で鍵支持部４５とは別個に設けられている。また、各フレーム側対向部４８は、図２に示すように、鍵並び方向に隣接する鍵２の側面部２５間に配置されるように、鍵フレーム４の水平部４３ａの上面から突出して設けられている。これにより、フレーム側対向部４８の左右両側面と鍵２の側面部２５の外側面（鍵側対向部）とが互いに対向する。さらに、フレーム側対向部４８は、一対の側面部２５と平行に配置された板状に設けられている。これにより、鍵２が揺動してもフレーム側対向部４８と鍵２の側面部２５との距離は略一定に保持される。
【００４０】
上記摩擦部材１０は、フェルトなどの弾性部材から構成されていて、フレーム側対向部４８の左右両側面にそれぞれ固定されている。これにより、摩擦部材１０は、フレーム側対向部４８と鍵２の側面部２５との間に配置される。この摩擦部材１０は、鍵２の揺動に伴って鍵２の側面部２５と当接摺動し、この当接摺動により鍵２の操作時及び保持時に鍵２に対して摩擦力を発生する。
【００４１】
なお、摩擦部材１０の厚さは、フレーム側対向部４８と鍵２の側面部２５との距離よりも大きくなるように設けられている。これにより、摩擦部材１０の弾性力により摩擦部材１０が鍵２の側面部２５に付勢されるため、常に安定した摩擦力が発生する。また、鍵２やフレーム側対向部４８に弾性力があれば、摩擦部材１０の厚さをフレーム側対向部４８と鍵２の側面部２５との距離よりも大きくするように設けることにより、これらフレーム側対向部４８や鍵２の弾性力によっても摩擦部材１０が鍵２の側面部２５に付勢される。
【００４２】
上述した鍵盤装置１によれば、摩擦部材１０を設けることにより、鍵操作時に適度な摩擦力が働いて、特に弱打時や鍵２をストローク領域の中間で保持する場合のコントロール性が向上する。また、上述した鍵盤装置１によれば、フレーム側対向部４８を鍵２の側面部２５に対向するように設けている。即ち、フレーム側対向部４８を鍵支持部４５とは別個に設けている。これにより、簡単に摩擦部材１０との当接摺動部を面にすることができ、より安定した摩擦力を得ることができる。しかも、鍵２に対して直接的に摩擦力が発生する。また、従来のように鍵支持部４５に摩擦部材１０を固定する場合、摩擦部材１０の材質などを鍵域毎に異ならせて鍵域毎に摩擦力を調整する必要があると、経年変化による摩擦部材１０の厚さ変形が鍵域毎に異なってしまう。このため、鍵域毎に鍵２の並び（上面揃いなど）に影響が出る恐れがある。しかしながら、フレーム側対向部４８を鍵支持部４５とは別個に設けることにより、鍵域毎に摩擦部材１０の材料などを異ならせて経年変化により摩擦部材１０の厚さ変形が鍵域毎に異なっても、鍵２の並びに影響がでない。
【００４３】
また、上述した鍵盤装置１によれば、鍵２の側面部２５が有する弾性力、フレーム側対向部４８が有する弾性力、摩擦部材１０自体の弾性力によって、摩擦部材１０が当接摺動する鍵２の側面部２５に付勢されている。これにより、鍵並び方向の限られたスペースの中で、弾性力によって安定した摩擦力を発生させることができる。
【００４４】
なお、上述した第１実施形態によれば、鍵２の側面部２５、フレーム側対向部４８、及び、摩擦部材１０の全てが弾性力のある材料で構成されていて、鍵２の側面部２５、フレーム側対向部４８、及び、摩擦部材１０の弾性力によって、摩擦部材１０が鍵２の側面部２５に付勢されるようにしていたが、本発明はこれに限ったものではない。鍵２の側面部２５、フレーム側対向部４８、及び、摩擦部材１０の少なくとも１つが弾性力のある材料で構成していればよく、鍵２の側面部２５、フレーム側対向部４８、及び、摩擦部材１０の弾性力の少なくとも１つの弾性力によって摩擦部材１０が鍵２の側面部２５に付勢されていればよい。
【００４５】
また、上述した第１実施形態によれば、１つの鍵２に設けられた左右一対の側面部２５にそれぞれ対向する一対のフレーム側対向部４８にそれぞれ別々に摩擦部材１０を固定していが、本発明はこれに限ったものではない。例えば、図３（Ａ）に示すように、摩擦部材１０を水平面４３ａの上面にも固定して、一対のフレーム側対向部４８のそれぞれに固定された摩擦部材１０を互いに連結して一体に形成するようにしてもよい。これにより、部品点数を削減できると共に組立性の向上を図ることができる。
【００４６】
また、図３（Ａ）に示す鍵盤装置１によれば、一つの鍵２毎に別々に摩擦部材１０を固定していたが、本発明はこれに限ったものではない。例えば、図３（Ｂ）に示すように、摩擦部材１０をフレーム側対向部４８の上面にも固定して、各鍵２毎に設けられた摩擦部材１０を互いに連結して摩擦部材１０を複数鍵域に亘って一体に形成するようにしてもよい。これにより、より一層部品点数を削減できると共に組立性の向上を図ることができる。
【００４７】
第２実施形態
次に、第２実施形態について図４及び図５を参照して説明する。なお、図４においては、上述したハンマ３、鍵フレーム４の一部、基板５、検出部６、板バネ７、ハンマストッパ８、９については省略している。上述した第１実施形態では、フレーム側対向部４８は、鍵並び方向に隣接する鍵２の側面部２５間に配置されて、側面部２５の外側面に対向するように設けられていた。これに対して、第２実施形態においては、フレーム側対向部４８は、１つの鍵２に設けられた一対の側面部２５間に配置され、側面部２５の内側面に対向するように、フレーム側対向部４８を設けている。図５に示すように、左右一対の側面部２５に対向する一対のフレーム側対向部４８は、上端同士を連結部２９によって連結して一体に形成されている。この場合も、摩擦部材１０は、鍵２の揺動に伴って鍵２の側面部２５と当接摺動し、この当接摺動により鍵２の操作時及び保持時に鍵２に対して摩擦力を発生する。
【００４８】
なお、上述した第２実施形態によれば、１つの鍵２の左右一対の側面部２５にそれぞれ対向する一対のフレーム側対向部４８にそれぞれ別々に摩擦部材１０を固定していが、本発明はこれに限ったものではない。例えば、図６（Ａ）に示すように、摩擦部材１０を連結部２９上にも固定して、一対のフレーム側対向部４８のそれぞれに固定された摩擦部材１０を互いに連結して一体に形成するようにしてもよい。これにより、部品点数を削減できると共に組立性の向上を図ることができる。
【００４９】
また、図６（Ａ）に示す鍵盤装置１によれば、一つの鍵２毎に別々に摩擦部材１０を固定していたが、本発明はこれに限ったものではない。例えば、図６（Ｂ）に示すように、摩擦部材１０を鍵フレーム４の水平部４３ａの上面にも固定して、各鍵２毎に設けられた摩擦部材１０を互いに連結して摩擦部材１０を複数鍵域に亘って一体に形成するようにしてもよい。これにより、より一層部品点数を削減できると共に組立性の向上を図ることができる。
【００５０】
また、上述した第２実施形態によれば、摩擦部材１０はフレーム側対向部４８に固定されていたが、本発明はこれに限ったものではない。摩擦部材１０はフレーム側対向部４８及び鍵２の側面部の何れか一方に固定されていればよく、例えば、図７に示すように、鍵２の側面部２５に固定するようにしてもよい。この場合、摩擦部材１０は、鍵２の揺動に伴ってフレーム側対向部４８と当接摺動し、この当接摺動により鍵２の操作時及び保持時に鍵２に対して摩擦力を発生する。この場合も、押鍵部２４の下面にも摩擦部材１０を設けて、左右一対の側壁部２５のそれぞれに固定された摩擦部材１０を互いに連結して一体に形成すれば、部品点数を削減できると共に組立性の向上を図ることができる。
【００５１】
第３実施形態
次に、第３実施形態について図８及び図９を参照して説明する。なお、図８においては、上述したハンマ３、鍵フレーム４の一部、基板５、検出部６、板バネ７、ハンマストッパ８、９については省略している。図８に示すように、第３実施形態では支点２３は鍵２の後端よりも少し前側に設けられている。即ち、支点２３は鍵２の鍵並び方向に突出するように設けられ、鍵フレーム４の水平部４３ａ上面に突設された鍵支持部４５に設けた嵌合孔４５ｂに嵌合される。これにより、鍵２が支点２３を中心に揺動自在に鍵フレーム４に支持される。
【００５２】
また、上記フレーム側対向部４８は、各鍵２の後端面に対向するように設けられている。フレーム側対向部４８は、水平部４３ａの後端に突設されていて、鍵並び方向に沿って延在するように設けられていている。上記摩擦部材１０も全鍵域又は複数鍵域に亘って長尺状に形成されている。上記鍵２の後端面（鍵側対向部）は、支点２３を中心とした円弧を含む円筒面に形成されていて、摩擦部材１０の厚さは、鍵２の後端面とフレーム側対向部４８との距離よりも大きくなるように設けられている。これにより、摩擦部材１０との摺接により安定した摩擦力を得ることができる。また、フレーム側対向部４８を鍵２の後端面に対向するように設けることにより、摩擦部材１０を全鍵域又は複数鍵域に亘って一体に設けることができる。また、例えば図３（Ｂ）、図６（Ｂ）に示すように凸凹状に摩擦部材１０を設ける必要がないので、摩擦部材１０の形状、固定が容易となる。
【００５３】
上述した摩擦部材１０の固定方法としては、金型に摩擦部材１０をインサートして鍵フレーム４を射出成形することが考えられる。次に、上述した鍵フレーム４のインサート成形の詳細について、図１０及び図１１を参照して説明する。図１０及び図１１に示す金型図は模式図のため、抜き勾配は一部省略したある。同図に示すように、鍵フレーム４を形成する金型は、キャビ側金型１１と、コア側金型１２と、から構成されている。キャビ側金型１１には、図１１に示すように、上方に突出するフレーム側対向部４８などを形成すると共に摩擦部材１０がセットされる下方が開口された凹部１１ａが形成されている。そして、この凹部１１ａの底面からは複数のピン１３が鍵並び方向に沿って設けられている。このピン１３は、フレーム側対向部４８の鍵２の後端部との対向面に対応する位置に設けられている。また、コア側金型１２には、鍵フレーム４の下側を形成するための凸部が形成されている。
【００５４】
次に、上述した鍵フレーム４のインサート成形手順について説明する。まず、摩擦部材１０をキャビ側金型１１に設けた凹部１１ａの側面とピン１３との間に挟むようにキャビ側金型１１に嵌合させて、キャビ側金型１１に摩擦部材１０をセットする。なお、この凹部１１ａの側面とピン１３との距離は、摩擦部材１０の幅よりも若干小さめに設けられている。このため、摩擦部材１０の弾性力によって摩擦部材１０がキャビ側金型１１にしっかりと保持され、摩擦部材１０の自重によって摩擦部材１０がキャビ側金型１１から脱落することはない。その後、キャビ側金型１１とコア側金型１２とを合わせた後、溶融した樹脂を流し込む。摩擦部材１０は、上述したようにフェルトなどから構成されていて、樹脂を流し込んでも溶けない。そして、上記溶融した樹脂は摩擦部材１０内に浸透する。その後、溶融した樹脂が冷却されて固化すると、鍵フレーム４が形成されると共に鍵フレーム４と摩擦部材１０との間に摩擦部材１０と鍵フレーム４の樹脂とが融合した融合層（図示せず）が形成される。このようにキャビ側金型１１にピン１３を設けると図９に示すようにフレーム側対向部４８にはピン１３の抜き孔１４が形成される。
【００５５】
上述したように、摩擦部材１０をインサートして鍵フレーム４を射出成形することにより、接着、粘着などの不安定要素を含む作業工程がなくなり品質が向上する。また、１つの摩擦部材１０を複数の面に固定するような場合、粘着テープによる固定よりも作業性がよく、融合層によって確実に固定される。
【００５６】
また、上述した融合層を形成可能な部材としてはフェルトが一般的だが、部材中に液体（や気体）の流出入が可能で、かつ、樹脂の溶融温度で変質しない部材又は樹脂の溶融温度で変質しても金型の温度で変質しない部材であればよい。
【００５７】
なお、上述した第３実施形態によれば、フレーム側対向部４８は鍵フレーム４に一体に形成していたが、本発明はこれに限ったものではない。例えば、図１２に示すように、フレーム側対向部４８を鍵フレーム４とは別体に形成して、ネジＮなどによりフレーム側対向部４８を鍵フレーム４に固定するようにしてもよい。
【００５８】
また、上述した第３実施形態によれば、鍵２の後端面を支点２３を中心とした円筒面に設けていたが、本発明はこれに限ったものではない。例えば、フレーム側対向部４８の鍵２の後端面と対向する側の面を支点２３を中心とした円筒凹面に形成してもよい。
【００５９】
第４実施形態
次に、第４実施形態について図１３及び図１４を参照して説明する。なお、図１３及び図１４においては、上述したハンマ３、鍵フレーム４の一部、基板５、検出部６、板バネ７、ハンマストッパ８、９については省略している。図１３に示すように、第１実施形態では、鍵２の後端面から突出した凸部を支点２３としていたが、本発明はこれに限ったものではない。例えば、図１３及び図１４に示すように、鍵２の後端部に左右方向に貫通するように設けた貫通孔を支点２３として、鍵支持部４５にこの支点２３に挿入する凸部４５ｃを設けて、支点２３を中心に揺動自在に支持するようにしても良い。この場合、貫通孔の内側面は曲面に設けられている。また、凸部４５ｃの外周面も曲面に設けられている。よって、鍵２の支点２３と鍵支持部４５とが曲面同士で接触するように設けられている。そして、摩擦部材１０は、支点２３としての貫通孔の内側面に固定されていて、鍵２の揺動に伴って摩擦部材１０と凸部４５ｃとの当接摺動により、鍵操作時及び鍵保持時に鍵２に対して摩擦力を発生する。以上の構成によれば、曲面同士の当接摺動により、線接触より接触面積が広くなり、より安定した摩擦力を得ることができる。
【００６０】
なお、上述した第４実施形態においては、貫通孔を支点２３とすることにより、曲面同士を当接摺動させていたが、本発明はこれに限ったものではない。例えば、図１５及び図１６に示すように、第１実施形態と同様に支点２３を鍵２の後端面に設けても曲面同士を当接摺動させることができる。即ち、鍵２の支点２３と鍵支持部４５（フレーム側対向部）の凹部４５ａとが曲面同士で接触するように設けられている。そして、摩擦部材１０は、鍵支持部４５の凹部４５ａに固定されていて、鍵２の揺動に伴って鍵２の支点２３との当接摺動により、鍵操作時及び鍵保持時に鍵２に対して摩擦力を発生する。以上の構成によれば、曲面同士の当接摺動により、線接触より接触面積が広くなり、より安定した摩擦力を得ることができる。
【００６１】
また、上記鍵２の支点２３は、図１７（Ａ）に示すように、鍵並び方向の中央が最も突出量が多く、中央から鍵並び方向に沿って離れるに従って突出量が小さくなるように設けられている。また、鍵２の支点２３は、図１７（Ｂ）に示すように、上下方向の幅が鍵並び方向の中央が最も大きく、中央から鍵並び方向に沿って離れるに従って上下方向の幅が小さくなるように設けられている。即ち、鍵２の支点２３と鍵支持部４５との接触部において鍵並び方向の中央から鍵並び方向に沿って離れるに従って支点２３と鍵支持部４５とのクリアランスが大きくなるように設けられている。このように鍵２の支点２３を設けることにより、支点２３と鍵ガイド部４４の双方の影響で鍵２がこじれてスムーズな動作ができなくなったり、機械的な雑音が発生したりすることを防止する。
【００６２】
また、上述した図１５及び図１６に示す実施形態では、鍵支持部４５は鍵フレーム４に一体に形成していたが、本発明はこれに限ったものではない。例えば、図１８に示すように、鍵支持部４５を鍵フレーム４とは別体に形成して、ネジＮなどにより鍵支持部４５を鍵フレーム４に固定するようにしてもよい。
【００６３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６４】
１…鍵盤装置、２…鍵、４…鍵フレーム、１０…摩擦部材、２３…支点、２５…側面部（鍵側対向部、左右一対の側面）、４５…鍵支持部（支点支持部）、４８…フレーム側対向部
【図１】
2011017958.tif 000003
【図２】
2011017958.tif 000004
【図３】
2011017958.tif 000005
【図４】
2011017958.tif 000006
【図５】
2011017958.tif 000007
【図６】
2011017958.tif 000008
【図７】
2011017958.tif 000009
【図８】
2011017958.tif 000010
【図９】
2011017958.tif 000011
【図１０】
2011017958.tif 000012
【図１１】
2011017958.tif 000013
【図１２】
2011017958.tif 000014
【図１３】
2011017958.tif 000015
【図１４】
2011017958.tif 000016
【図１５】
2011017958.tif 000017
【図１６】
2011017958.tif 000018
【図１７】
2011017958.tif 000019
【図１８】
2011017958.tif 000020